【手続補正書】
【提出日】平成18年9月15日(2006.9.15)
【手続補正１】
【補正対象書類名】明細書
【補正対象項目名】発明の名称
【補正方法】変更
【補正の内容】
【発明の名称】無相互相関領域を有する符号系列セットを用いたＣＤＭＡ通信方式、及び送信機
【手続補正２】
【補正対象書類名】明細書
【補正対象項目名】特許請求の範囲
【補正方法】変更
【補正の内容】
【特許請求の範囲】
【請求項１】  送信機は、ユーザを識別するための、互いに異なる拡散系列として、任意の一対の拡散系列間の周期的相互相関関数がその０シフト近傍に無相互相相関関領域を有する系列群のファミリに属する２値ＺＣＣＺ拡散系列を準備する手段と、前記ＺＣＣＺ系列を中央フレームとし、該中央フレームの両側に保護系列を付加した拡張シンボルフレームを作成する手段と、送信情報を該拡張シンボルフレームに乗積することにより、送信ベースバンドフレームを生成する手段を備え、受信機は、該送信ベースバンドの対応する受信ベースバンドを受信する手段と、希望局送信機が使用した該ＺＣＣＺ拡散系列または復調用ローカル系列を基準系列として用いて該受信フレームに対し相関復調を行い、該復調出力を硬判定する手段とを備えたことを特徴とする無相互相関領域を有する符号系列セットを用いたＣＤＭＡ通信方式。
【請求項２】  請求項１において、通信システムに属する各ユーザ送信機は、孤立パイロットフレームを送信する手段を備え、基地局受信機は各ユーザ送信機から入来した各孤立パイロットフレームに対し任意の拡散系列または自己直交系列による各相互相関関数応答を求めてその応答セットを蓄積する手段と、該受信ベースバンドフレームを該相互相関関数応答セットを用いて分析することにより復調出力を生成する手段を備えたことを特徴とする無相互相関領域を有する符号系列セットを用いたＣＤＭＡ通信方式。
【請求項３】  請求項１において使用したＺＣＣＺ拡散系列を生成するために、その周期自己相関関数が０シフトの両側に無自己相関領域を有するとともに、その任意の一対の系列間の周期自己相関関数が、０シフトを含む０シフトの両側に無相関領域を有するようなＺＣＺ系列ファミリに属する符号長Ｎ1の１系列と、任意の一対の系列間のハミング距離が比較的大きな値をとる準直交系列ファミリに属するＮ1と素な値の符号長Ｎ2のブロック系列ｄとを準備し、Ｎ1とＮ2の積の符号長Ｎをとるように該両系列を繰り返すことにより、繰り返しＺＣＺ系列と繰り返しブロック系列を生成した後、該両繰り返し系列の対応チップ位置の符号を乗積することにより得られる符号長Nの乗積符号を予め生成し準備する手段とを備え、該乗積符号をＺＣＣＺ拡散系列として用いることを特徴とした無相互相関領域を有する符号系列セットを用いたＣＤＭＡ通信方式。
【請求項４】  請求項３において、ブロック系列ｄをサブブロック行列Ｈp*（ｐ＝１，２，．．．Ｐ）により階層化し、Ｈp*に属するｊ（ｊ＝１，２，．．．．Ｊ）番目のブロック系列ｄpjと、前記ＺＣＺ系列ファミリの中のｋ番目のＺＣＺ系列Ｃk（ｋ＝１，２，．．．．Ｋ）との乗積符号Ｓkpjのファミリを生成し、階層化ファミリ要素ｋ、ｐ、ｊに、方式要素であるセル番号、ユーザ番号、送信情報レベルを任意の順序でそれぞれ対応づける方法で、該乗積符号Ｓkpjをシステムに割り当てることを特徴とした無相互相関領域を有する符号系列セットを用いたＣＤＭＡ通信方式。
【請求項５】  請求項４において、該階層化ファミリ要素ｋ、ｐ、ｊの中の１乃至３要素からなる組合ファミリを１つの方式要素に、残りの３乃至１要素からなる組合ファミリを他の方式要素に対応づける方法で、乗積符号Ｓkpjをシステムに割当てることを特徴とした無相互相関領域を有する符号系列セットを用いたＣＤＭＡ通信方式。
【請求項６】  請求項４、５において、方式要素のセル番号に割当てたファミリ要素に対応する系列を送信用スクランブル符号、受信用デスクランブル符号として用いることを特徴とした無相互相関領域を有する符号系列セットを用いたＣＤＭＡ通信方式。
【請求項７】  任意の一対の拡散系列間の周期的相互相関関数がその０シフト近傍に無相互相関領域を有する系列群のファミリに属するＺＣＣＺ拡散系列を準備する手段を有することを特徴とする送信機。
【請求項８】  前記ＺＣＣＺ拡散系列を中央フレームとし、該中央フレームの両側または片側に保護系列を付加した拡張シンボルフレームを作成する手段を有することを特徴とする請求項７に記載の送信機。
【請求項９】  前記ＺＣＣＺ拡散系列をシンボルフレームとし、これに送信情報を乗積することにより送信ベースバンドフレームを生成する手段を有することを特徴とする請求項７に記載の送信機。
【請求項１０】  前記拡張シンボルフレームに送信情報を乗積することにより送信ベースバンドフレームを生成する手段を有することを特徴とする請求項７又は８に記載の送信機。
【請求項１１】  前記ＺＣＣＺ拡散系列より作成したシンボルフレームまたは前記拡散シンボルフレームをユーザ識別のための信号として送信する手段を有することを特徴とする請求項７又は８に記載の送信機。
【請求項１２】  複数の送信機を有する通信システムにおいて、各送信機から入来した各孤立パイロットフレームに対し、任意の拡散系列または自己直交系列による相互相関関数応答を用いて分析することにより復調出力を生成する手段を有することを特徴とする受信機。
【手続補正３】
【補正対象書類名】明細書
【補正対象項目名】０００６
【補正方法】変更
【補正の内容】
【０００６】
【課題を解決するための手段】
上記課題を解決するために、請求項１に記載の本発明は、送信機は、ユーザを識別するための、互いに異なる拡散系列として、任意の一対の拡散系列間の周期的相互相関関数がその０シフト近傍に無相互相相関関領域を有する系列群のファミリに属する２値ＺＣＣＺ拡散系列を準備する手段と、前記ＺＣＣＺ系列を中央フレームとし、該中央のフレームの両側に保護系列を付加した拡張シンボルフレームを作成する手段と、送信情報を該拡張シンボルフレームに乗積することにより、送信ベースバンドフレームを生成する手段を備え、受信機は、該送信ベースバンドの対応する受信ベースバンドを受信する手段と、希望局送信機が使用した該ＺＣＣＺ拡散系列または復調用ローカル系列を基準系列として用いて該受信フレームに対し相関復調を行い、該復調出力を硬判定する手段とを備えたことを特徴とする。
請求項２の本発明は、請求項１において、通信システムに属する各ユーザ送信機は、孤立パイロットフレームを送信する手段を備え、基地局受信機は各ユーザ送信機から入来した各孤立パイロットフレームに対し任意の拡散系列または自己直行系列による各相互相関関数応答を求めてその応答セットを蓄積する手段と、該受信ベースバンドフレームを該相互相関関数応答セットを用いて分析することにより復調出力を生成する手段を備えたことを特徴とする。
請求項３の本発明は、請求項１において使用したＺＣＣＺ拡散系列を生成するために、その周期自己相関関数が０シフトの両側に無自己相関領域を有するとともに、その任意の一対の系列間の周期自己相関関数が、０シフトを含む０シフトの両側に無相関領域を有するようなＺＣＺ系列ファミリに属する符号長Ｎ1の１系列と、任意の一対の系列間のハミング距離が比較的大きな値をとる準直交系列ファミリに属するＮ1と素な値の符号長Ｎ2のブロック系列ｄとを準備し、Ｎ1とＮ2の積の符号長Nをとるように該両系列を繰り返すことにより、繰り返しＺＣＺ系列と繰り返しブロック系列を生成した後、該両繰り返し系列の対応チップ位置の符号を乗積することにより得られる符号長Nの乗積符号を予め生成し準備する手段とを備え、該乗積符号をＺＣＣＺ拡散系列として用いることを特徴とした。
請求項４の本発明は、請求項３において、ブロック系列ｄをサブブロック行列Ｈp*（ｐ＝１，２，．．．Ｐ）により階層化し、Ｈp*に属するｊ（ｊ＝１，２，．．．．Ｊ）番目のブロック系列ｄpjと、前記ＺＣＺ系列ファミリの中のｋ番目のＺＣＺ系列Ｃk（ｋ＝１，２，．．．．Ｋ）との乗積符号Ｓkpjのファミリを生成し、階層化ファミリ要素ｋ、ｐ、ｊに、方式要素であるセル番号、ユーザ番号、送信情報レベルを任意の順序でそれぞれ対応づける方法で、該乗積符号Ｓkpjをシステムに割り当てることを特徴とした。
請求項５の本発明は、請求項４において、該階層化ファミリ要素ｋ、ｐ、ｊの中の１乃至３要素からなる組合ファミリを１つの方式要素に、残りの３乃至１要素からなる組合ファミリを他の方式要素に対応づける方法で、乗積符号Ｓkpjをシステムに割当てることを特徴とした。
請求項６の本発明は、請求項４、５において、方式要素のセル番号に割当てたファミリ要素に対応する系列を送信用スクランブル符号、受信用デスクランブル符号として用いることを特徴とした。
請求項７の本発明は、任意の一対の拡散系列間の周期的相互相関関数がその０シフト近傍に無相互相関領域を有する系列群のファミリに属するＺＣＣＺ拡散系列を準備する手段を有することを特徴とする。
請求項８の本発明は、前記ＺＣＣＺ拡散系列を中央フレームとし、該中央フレームの両側または片側に保護系列を付加した拡張シンボルフレームを作成する手段を有することを特徴とする。
請求項９の本発明は、前記ＺＣＣＺ拡散系列をシンボルフレームとし、これに送信情報を乗積することにより送信ベースバンドフレームを生成する手段を有することを特徴とする。
請求項１０の本発明は、前記拡張シンボルフレームに送信情報を乗積することにより送信ベースバンドフレームを生成する手段を有することを特徴とする。
請求項１１の本発明は、前記ＺＣＣＺ拡散系列より作成したシンボルフレームまたは前記拡散シンボルフレームをユーザ識別のための信号として送信する手段を有することを特徴とする。
請求項１２の本発明は、複数の送信機を有する通信システムにおいて、各送信機から入来した各孤立パイロットフレームに対し、任意の拡散系列または自己直交系列による相互相関関数応答を用いて分析することにより復調出力を生成する手段を有することを特徴とする。